(57)【要約】たとえば、携帯電話、ＰＳＴＮ電話等に関連するブルートゥース技術によって無線通信に関連して使用するためのヘッドセット（１，１０，３０）であって、スピーカの形の変換器（５，１２，２７）を備えたハウジング（２，３，１１，２８）、マイクロフォン（４，１４，２９）およびイヤーフック（６，２３，２８）を含む。第１の実施例では、ハウジングは開閉可能な２つのシェル（２，３）として構成することができるため、ヘッドセット（１，１０，３０）が使用されない場合にすべての機械的な部品はハウジングに隠すことができ、ヘッドセットがポケットにしまわれた場合にさまざまな部品が破損されない。シェル（２，３）は、シェルの表面と同じ平面に配置される軸を有するヒンジ（７，８）によって互いに接続され得る。またはこれに代えて、シェルは、軸がシェルの表面に対して垂直な平面に配置されるように配置してもよい。第２の実施例では、ハウジング（１１，２８）はクローズドハウジングによって形成され、そこからイヤーフック（２３，３１）および／またはマイクロフォン（１３，２６）を出し入れすることができる。この発明は、非常に使いやすく、ヘッドセットが使用されない場合にすべての機械的および電気的な部品が十分に保護されるヘッドセット（１，１０，３０）を提供する。さらに、すべての実施例には、正しいユーザのみがヘッドセットを使用できるように、機械的および／または電気的であり得るロックを設けてもよい。
2006506006.tif 000002
【特許請求の範囲】
【請求項１】
変換器（５，１２，２７）、マイクロフォン（４，１４，２９）およびユーザの耳からヘッドセット（１，１０，３０）を吊下げるためのイヤーフック（６，２３，２８）を含むヘッドセット（１，１０，３０）であって、
前記変換器（５，１２，２７）、前記マイクロフォン（４，１４，２９）および前記イヤーフック（６，２３，３１）はハウジングに内包されるか、またはハウジングの一体部品であることを特徴とする、ヘッドセット。
【請求項２】
前記ハウジングは、ヒンジ（７，８，９）によって互いに接続される２つのシェル（２，３）によって形成されることを特徴とする、請求項１に記載のヘッドセット。
【請求項３】
前記２つのシェル（２，３）は、前記シェルの表面と同じ平面内に配置されるシャフト（９）によってそれらのヒンジを備えた外端に沿って接続されることを特徴とする、請求項２に記載のヘッドセット。
【請求項４】
前記ヒンジ（７，８）は、前記シェルの表面に垂直なシャフトを有することを特徴とする、請求項２に記載のヘッドセット。
【請求項５】
前記変換器（５）および前記イヤーフック（６）は一方のシェル（２）に配置され、前記マイクロフォン（４）は他方のシェル（３）に配置されることを特徴とする、請求項２から４のいずれかに記載のヘッドセット。
【請求項６】
前記マイクロフォン（１４，２９）はマイクロフォンアーム（１３，２６）に取付けられ、
前記ハウジングは、そこから前記イヤーフック（２３，３１）および前記マイクロフォンアーム（１３，２６）を前記ハウジングからそれぞれ出し入れすることができる２つの凹部を有するクローズドハウジング（１１，２８）によって形成されることを特徴とする、請求項１に記載のヘッドセット。
【請求項７】
前記イヤーフック（２３，３１）および／または前記マイクロフォン（１３，２５）の前記ハウジングからの出し入れを可能にするために少なくとも１つの解除ボタン（１５）が前記ハウジング（１１）の外側に配置されることを特徴とする、請求項６に記載のヘッドセット。
【請求項８】
前記解除ボタン（１５）は、ばね荷重（２１）によって前記イヤーフック（２３，３１）および／または前記マイクロフォンアーム（１３，２６）を動作可能にすることを特徴とする、請求項７に記載のヘッドセット。
【請求項９】
前記マイクロフォンアームは、前記ハウジング（１１）からねじって出し、前記ハウジング内に入れることができることを特徴とする、請求項６に記載のヘッドセット。
【請求項１０】
前記マイクロフォンアームは入れ子式であることを特徴とする、請求項６に記載のヘッドセット。
【請求項１１】
前記マイクロフォンアームは関節でつながれていることを特徴とする、請求項６に記載のヘッドセット。
【請求項１２】
前記ハウジング（２，３，１１，２８）には、前記イヤーフック（６，２３，３１）、前記マイクロフォン（４，１４，２９）および前記変換器（５，１２，２７）を前記ハウ
ジングの内側にロックするための鍵（ロック）が設けられていることを特徴とする、請求項１から１１のいずれかに記載のヘッドセット。
【請求項１３】
前記ロックには、前記ヘッドセットの電気部品を動作可能にするための電気暗号が設けられていることを特徴とする、請求項１２に記載のヘッドセット。
【発明の詳細な説明】
【技術分野】
【０００１】
この発明は、変換器、マイクロフォン、およびヘッドセットをユーザの耳から吊下げるためのイヤーフックを含むヘッドセットに関する。
【背景技術】
【０００２】
そのようなヘッドセットは、ＷＯ  ０１／８６９２３から既知である。
【０００３】
この既知のヘッドセットは小型のユニットとして構成され、スピーカの形の変換器は、さらにヒンジ部品を有するハウジング内に配置され、イヤーフックおよびマイクロフォンアームはヒンジ結合を介してそれぞれ固定される。ヘッドセットが使用される場合、イヤーフックおよびマイクロフォンアームがハウジングから旋回して出され、ヘッドセットはユーザの左耳また右耳から吊下げられて、使用準備が整う。ヘッドセットは非常に小型で、さらに、たとえば、携帯電話、ＰＳＴＮ電話等と関連するブルートゥース（Bluetooth）を使用して無線通信リンクを提供するように構成される。
【発明の開示】
【発明が解決しようとする課題】
【０００４】
上述のように、これは非常に小型のヘッドセットであり、軽量で、特に長時間にわたって使用される場合にユーザの耳に問題または不都合を生じないため、非常にユーザにとって使いやすい。さらに、使用されない状態では、それは、たとえば、ポケットなどに容易にしまうことができる。しかしながら、ヘッドセットをポケットにしまうと、破損する可能性があるため、ある種の危険が伴う。イヤーフックおよびマイクロフォンアームはハウジングから勝手に露出され、これら部品が不適当な機械的な負荷にさらされ得るからである。
【０００５】
したがって、この発明の目的は、ＷＯ  ０１／８６９２３の上述の利点のすべてを有するが、機械的に破損しにくいヘッドセットを提供することである。
【課題を解決するための手段】
【０００６】
この発明の目的は、請求項１の導入部分に記載されるタイプのヘッドセットによって実現され、これは、変換器、マイクロフォンおよびイヤーフックがハウジングに内包されるか、またはハウジングの一体部品であることを特徴とする。このようにして、ヘッドセットは、使用されない状態では閉じられたカプセルのように見え、すべての可動部品は保護される。
【０００７】
請求項２に記載されるように、ヒンジによって互いに接続される２つのシェルによってハウジングが形成される場合、シェル同士は常に互いに接続され、たとえば、カバー部品の役割をする一方のシェルが失われないことが確保される。
【０００８】
請求項３に記載されるように、２つのシェルが、シェルの表面と同じ平面内に配置されるシャフトによってそれらのヒンジを備えた外端に沿って接続されると好都合である。これにより、機械的な利点も得られる構造が実現される。シェル同士の間に配置されるべきさまざまな部品は、それらが互いに接続されている場合、それらのそれぞれのシェルに配置される必要がなく、シェル同士の間の空間を利用することができる。その結果、たとえば、ヘッドセットの内部部品の一部は、両方のシェルによって形成される区画内にしまうことができる。さらに、ヘッドセット全体を非常に平坦な構造として構成してもよい。
【０００９】
代替の実施例では、請求項４に記載されるように、ヘッドセットが、他方のシェルに対して同じ平面内にある一方のシェルを回転させるだけで使用状態にすることができるようにヒンジがシェルの表面に垂直なシャフトを有している。これによれば、一部のユーザにとっては、ヘッドセットを開閉する場合のヘッドセットの取扱いが容易になるであろう。
【００１０】
請求項５に記載されるように、好ましくは変換器およびイヤーフックは一方のシェルに配置され、マイクロフォンは他方のシェルに配置されている。それにより、変換器を耳に最適に位置付け、かつマイクロフォンをできるだけ口の近くに位置付けることができる。
【００１１】
第２の実施例では、請求項６に記載されるように、ハウジングは２つの凹部を有するクローズドハウジングによって形成され、そこからイヤーフックおよびマイクロフォンアームをハウジングからそれぞれ出し入れすることができる。可動部品の数はここではさらに制限される。イヤーフックおよびマイクロフォンアームのみが動作できるためである。
【００１２】
この第２の実施例は、請求項７に記載されるように、イヤーフックおよび／またはマイクロフォンアームをハウジングから出し入れできるようにするための少なくとも１つの解除ボタンがハウジングの外側に配置されていればさらに使用しやすい。この解除機能は、請求項８に記載されるように、解除ボタンがばね荷重によってイヤーフックおよび／またはマイクロフォンアームの移動を可能にするか、または請求項９に記載されるように、マイクロフォンアームをハウジングからねじって出し入れすることができれば、さらに有利な配置となり得る。
【００１３】
この発明のヘッドセットのさらに代替の実施例は、マイクロフォンアームが、請求項１０に記載されるように入れ子式であるか、または請求項１１に記載されるように関節でつながれている。
【００１４】
最後に、すべての実施例において、請求項１２に記載されるように、ヘッドセットは、フック、マイクロフォンアームおよび変換器をハウジングの内側にロックするための鍵（ロック）がハウジングに備えられるように構成され、これにより、盗難の危険が低減される。ロックを解除することなしにヘッドセットを使用することができないため、盗難には魅力的ではないためである。
【００１５】
さらに、請求項１３に記載されるように、ヘッドセットの電気部品を動作可能にする電気暗号がロックに備えられる場合、所有者以外の他の人物によるヘッドセットの使用が防止される。
【発明を実施するための最良の形態】
【００１６】
図面に示される実施例を参照して、この発明をさらに詳しく説明する。
【００１７】
図１では、この発明の第１の実施例のヘッドセットが一般的に１として示される。図１および図２〜図４からわかるように、ヘッドセットは、２および３として示される２つのシェルからなる。２つのシェルは、各シェルに設けられるヒンジ部品７、８によって互いにヒンジで接合され、２つのシェルは、たとえば、シャフト９がヒンジ部品を互いに接続するように構成されていてもよい。図示のように、シャフト９はシェルの表面と同じ平面内に配置され、これは、図４にも示されるように、シャフト９まわりに回転させることによってシェル同士が閉じられることを意味する。イヤーフック６は、図２に示されるように、シェル２、３の内側またはそれらの間に配置され、このイヤーフックは２つの位置、すなわち、６に示される、それが一方のシェル２の凹部に配置される第１の位置、および図２の６ａに示される、それがシェル２から部分的に回転して出される第２の位置をとり得る。さらに、シェルの各々は、スピーカ５の形の変換器がシェル２内に配置され、マイ
クロフォン４がシェル３内に配置されるように構成される。最後に、図１および図２は、領域７を示し、これら領域がヘッドセットの残りとは異なる色で設計され得るか、または、おそらくロゴをエンボス加工された金属で被覆され得ることを示す。
【００１８】
ヘッドセットは次のように使用される。
【００１９】
ヘッドセットが使用される場合、シェルは、図３および図４に示される位置から、図１および図２に示される位置に分離され、次にイヤーフックがシェル２から回転して出され、ユーザの１つの耳に吊下げられる。マイクロフォン４を含む他方のシェルは、ユーザの頬に沿って位置付けられ、マイクロフォンは必要なだけユーザの口に近づけられる。図１〜図４に示される実施例は、小型のヘッドセットを提供し、使用されない状態ではすべての繊細な部品が十分に保護され、これにより、たとえば、ユーザのポケットでの持ち運び中の破損が避けられる。
【００２０】
図１〜図４の実施例は、開閉のためのシェルがそれらの平面へおよびそこから回転されるようにヒンジ部品が形成されることを示すが、シェルの表面に垂直なシャフトをヒンジ部品に形成してもよい。そのような状況では、開閉は、回転がそれらの平行な平面内で行なわれるように相対的にシェル同士を移動させることで行なうことができる。
【００２１】
図５から図９は、この発明によるヘッドセットの第２の実施例を示す。これらの図面では、この発明によるヘッドセットは一般的に１０として示され、凹部が形成されたディスク型のハウジング１１を有し、その凹部を通じて、ハウジングの内側に配置されるシャフトから吊下げられるマイクロフォン１４を備えたマイクロフォンアーム１３をハウジング１１から回転させて出し入れすることができる。マイクロフォンアーム１３は、シャフトに配置されたばね２１からのばね力の影響によって回転する。このばね力は、たとえば、作動されるとばね２１に凹部を通じてハウジング１１からマイクロフォンアームを強制的に押出させる押しボタン式のロック機構を介してかけることができる。マイクロフォンアームがハウジングに戻されると、ばねに対向して作用する力がそれに作用し、押しボタンを介してロック機構が再び作動されるまで、マイクロフォンアームはロック機構によってハウジング内に保持される。
【００２２】
図示のように、ハウジングは舌状部１８によって保護され得るスピーカ１２を収容し、舌状部１８は、マイクロフォンアームに設けられ、かつ、マイクロフォンアームが凹部を通って内側に移動される場合にスピーカ１２を覆いかつ保護する。
【００２３】
イヤーフック２３は、ハウジング１１の下側であってその外形が１９で示される凹部内に配置され、このイヤーフックは、ヒンジ２０によってハウジング１１から離れて、ユーザの耳から吊下げることができる。
【００２４】
最後に、設計上の理由のため、マイクロフォンアームにはこの領域において異なる色を与えてもよいことが１７に示される。
【００２５】
図５〜図９のヘッドセットは、ヘッドセットが使用されない場合に、すべての電気的および機械的な部品が十分に保護されるという点に特徴を有している。
【００２６】
図１０〜図１２は、一般的に３０として示されるヘッドセットを示す。図示のように、このヘッドセットは、中央にスピーカ２７を保持するディスク型のハウジング２８からなる。ハウジングの端部に沿って２つの凹部が設けられ、そのうちの第１の凹部は、マイクロフォン２９を備えた柔軟なマイクロフォンアーム２６を収容するように機能し、図示のように楕円状に延びる１つの凹部にマイクロフォンアームを曲げて入れることができる。
さらに、マイクロフォンアームには舌状部３２が形成され、これはマイクロフォンアームが開いた状態から閉じられた状態へ、またはその逆に動かされた場合に、スピーカ領域２７をそれぞれ開閉する。さらに、凹部２５がハウジング２８の反対側に設けられ、これは回転可能なイヤーフック３１を受入れるように用いられる。このイヤーフック３１は、図７〜図９に示される実施例に関連して説明されたものと同様の態様に構成されてもよい。
【００２７】
図１０〜図１２のヘッドセットは次のように使用される。
【００２８】
ヘッドセットが使用される場合、マイクロフォンアームおよびイヤーフックは閉じられたヘッドセット内でのそれらの位置から離れ、スピーカは露出され、イヤーフックはユーザの耳に配置することができる。これにより、マイクロフォンアームはユーザの頬に沿って操作位置につく。
【００２９】
図１０〜図１２に示されるヘッドセットの変形例では、マイクロフォンアームは、ハウジングの外側面に沿って設けられた溝を通ってハウジングから出し入れされるように構成してもよい。
【００３０】
なお、最後に、ヘッドセットが使用されていない状態のときにさらに空間の節約が必要な場合、マイクロフォンアーム自身は入れ子式または関節でつながれる構造であってもよい。
【図面の簡単な説明】
【００３１】
【図１】この発明の第１の実施例のヘッドセットの図である。
【図２】図１の矢印Ｉの方向に沿って見た図１のヘッドセットの図である。
【図３】２つ折り状態の図１および図２のヘッドセットの図である。
【図４】図３の矢印ＩＶの方向に沿って見た図３のヘッドセットの図である。
【図５】第２の実施例のこの発明による開いた状態のヘッドセットの図である。
【図６】図５の矢印ＶＩの方向に沿って見た図５のヘッドセットの図である。
【図７】マイクロフォンアームが挿入されている閉じられた状態の図５および図６のヘッドセットの図である。
【図８】後ろから見た閉じられた図９の矢印ＶIIIの方向に沿って見た図９のヘッドセットの図である。
【図９】マイクロフォンアームが挿入されている図６のヘッドセットの図である。
【図１０】第３の実施例の開いた状態のヘッドセットの図である。
【図１１】側方から見た図１０のヘッドセットの図である。
【図１２】閉じられた状態の側方から見た図１０のヘッドセットの図である。
【図１】
2006506006.tif 000003
【図２】
2006506006.tif 000004
【図３】
2006506006.tif 000005
【図４】
2006506006.tif 000006
【図５】
2006506006.tif 000007
【図６】
2006506006.tif 000008
【図７】
2006506006.tif 000009
【図８】
2006506006.tif 000010
【図９】
2006506006.tif 000011
【図１０】
2006506006.tif 000012
【図１１】
2006506006.tif 000013
【図１２】
2006506006.tif 000014
【国際調査報告】
2006506006.tif 000015
2006506006.tif 000016